(57)【要約】【課題】安価に且つ迅速にアレルギー性鼻炎を診断することが可能なアレルギー性鼻炎診断器具を提供する。【解決手段】スプーンと、ペンライトと、スプーンとペンライトとを固定する固定具とを備えたアレルギー性鼻炎診断器具であって、固定具は、スプーンの柄部の表面側の面とペンライトの側面とが互いに向かい合う態様で、スプーンの柄部を把持固定する第１の固定部と、ペンライトの軸部分を把持固定する第２の固定部とを有することを特徴とする。【選択図】図２
2018196728.tif 000002
【特許請求の範囲】
【請求項１】
スプーンと、ペンライトと、前記スプーンと前記ペンライトとを固定する固定具とを備えたアレルギー性鼻炎診断器具であって、
前記固定具は、前記スプーンの柄部の表面側の面と前記ペンライトの側面とが互いに向かい合う態様で、前記スプーンの柄部を把持固定する第１の固定部と、前記ペンライトの軸部分を把持固定する第２の固定部とを有することを特徴とするアレルギー性鼻炎診断器具。
【請求項２】
前記固定具は、前記スプーンの柄部の先端が前記ペンライトの発光部よりも軸方向において外側に突き出た態様で前記スプーンの柄部を固定することを特徴とする請求項１に記載のアレルギー性鼻炎診断器具。
【発明の詳細な説明】
【技術分野】
【０００１】
本発明は、アレルギー性鼻炎診断器具に関する。
【背景技術】
【０００２】
従来、鼻の疾患の一つとしてアレルギー性鼻炎が知られている。アレルギー性鼻炎とは、空気中を浮遊するスギ等の花粉やハウスダストなどの原因物質アレルゲンが、鼻の粘膜から体内に入ることによって引き起こされる鼻水、鼻づまり、くしゃみ等のアレルギー反応である。
【０００３】
このようなアレルギー性鼻炎の主な診断方法では、例えば特異的ＩｇＥ抗体検査、好酸球検査、パッチテストが用いられる（例えば、特許文献１参照）。なお、特異的ＩｇＥ抗体検査とは、血液検査によって特異的ＩｇＥ抗体、すなわちアレルゲンによる感作が生じるとアレルゲンに結合して産生される抗体の量を測定する検査である。好酸球検査とは、診断される人の鼻水に、アレルギー性鼻炎の人に多く見られる好酸球の有無を調べる検査である。パッチテストは、色んな種類の抗原のエキスを鼻の粘膜に付け、どの抗原で症状が出るかを調べる検査である。
【０００４】
例えば特許文献１には、アレルゲン特異的ＩｇＥ抗体と、多種類の特異的ＩｇＥ抗体量の総和である総ＩｇＥ抗体とを、被検試料を分割することなく、同一被検試料から同日に測定するイムノクロマトグラフ法に係る技術が開示されている。
【先行技術文献】
【特許文献】
【０００５】
【特許文献１】特開２００２−３４０８９７号公報
【発明の概要】
【発明が解決しようとする課題】
【０００６】
しかしながら、上記従来のアレルギー性鼻炎の各診断方法のいずれの方法も、診断用の特別な機器や消耗品等を用いるものであり、その分だけ、診断を行うための費用や時間を要するものとなっていた。以上のことから、従来よりも安価で且つ迅速にアレルギー性鼻炎を診断できることが好ましかった。
【０００７】
本発明は、上記の点に鑑みてなされたものであり、安価に且つ迅速にアレルギー性鼻炎を診断することが可能なアレルギー性鼻炎診断器具を提供することを目的とする。
【課題を解決するための手段】
【０００８】
上記の目的を達成するために、本発明に係るアレルギー性鼻炎診断器具は、スプーンと、ペンライトと、前記スプーンと前記ペンライトとを固定する固定具とを備えたアレルギー性鼻炎診断器具であって、前記固定具は、前記スプーンの柄部の表面側の面と前記ペンライトの側面とが互いに向かい合う態様で、前記スプーンの柄部を把持固定する第１の固定部と、前記ペンライトの軸部分を把持固定する第２の固定部とを有することを特徴とする。
【発明の効果】
【０００９】
本発明によれば、安価に且つ迅速にアレルギー性鼻炎を診断することができる。
【図面の簡単な説明】
【００１０】
【図１】本実施形態に係るアレルギー性鼻炎診断器具の一例を示す図である。
【図２】本実施形態に係るアレルギー性鼻炎診断器具の他の一例を示す図である。
【図３】本実施形態に係るアレルギー性鼻炎診断方法を示すフローチャートである。
【図４】図２のステップＳ１を補足説明するための図である。
【図５】図２のステップＳ３を補足説明するための図である。
【図６】図２のステップＳ４を補足説明するための図である。
【図７Ａ】正常な鼻内状態を示す写真図である。
【図７Ｂ】アレルギー性鼻炎の場合の鼻内状態を示す写真図である。
【発明を実施するための形態】
【００１１】
以下、本発明の実施形態について説明する。
【００１２】
［アレルギー性鼻炎診断器具］
図１は、本実施形態に係るアレルギー性鼻炎診断器具の一例を示す図である。
【００１３】
図１に示すように、本実施形態に係るアレルギー性鼻炎診断器具１は、スプーン２、ペンライト３により構成される。
【００１４】
スプーン２は、一端側に一定の深さを有する掬い部２１が、他端側に操作者が把持するための柄部２２が設けられた一般的なスプーンである。なお、特に柄部２２の付け根部分、すなわち掬い部２１との境界付近を、付け根部２２ａという。
【００１５】
ペンライト３は、一端に発光部３１が設けられ、他端に発光部３１による発光のオンオフを切り替える操作スイッチ３２が設けられた一般的なペン型の懐中電灯である。
【００１６】
以上に示すように、本実施形態に係るアレルギー性鼻炎診断器具１は、一般的に使用されるスプーン２及びペンライト３により構成される。詳細には後述するが、本実施形態に係るアレルギー性鼻炎診断方法によれば、既製品であるスプーン２及びペンライト３を用いて診断できるため、安価にアレルギー性鼻炎を診断することができる。
【００１７】
図２は、本実施形態に係るアレルギー性鼻炎診断器具の他の一例を示す図である。
【００１８】
図２に示す他の一例に係るアレルギー性診断器具４は、スプーン５、ペンライト６、固定具７により構成される。
【００１９】
スプーン５は、前述のスプーン２と同様、一端側に一定の深さを有する掬い部５１が、他端側に操作者が把持するための柄部５２が設けられた一般的なスプーンである。なお、特に柄部５２の付け根部分、すなわち掬い部５１との境界付近を、付け根部分５２ａという。
【００２０】
ペンライト６は、前述のペンライト３と同様、一端に発光部６１が設けられ、他端に発光部６１による発光のオンオフを切り替える操作スイッチ６２が設けられた一般的なペン型の懐中電灯である。
【００２１】
固定具７は、スプーン５とペンライト６とを固定するための例えばクリップ型の固定具である。この固定具７は、スプーン５の柄部５２の付け根部分５２ａを把持固定する第１の固定部７ａと、ペンライト６の長軸部分を把持固定する第２の固定部７ｂとを有し、スプーン５とペンライト６とを同時に固定する。
【００２２】
具体的には、第１の固定部７ａは、スプーン５の表面側の面とペンライト６の側面とが互いに向かい合う態様で、スプーン５の柄部５２の付け根部分５２ａを把持固定する。第１の固定部７ａは、スプーン５の柄部５２を把持固定すべく例えば一対のコノ字型形状をしている。第２の固定部７ｂは、ペンライト６の軸部分を把持固定する一般的なクリップの把持機構である。なお、固定具７は、図２に示すように、スプーン５の柄部５２の先端がペンライトの発光部６１よりも軸方向において外側に突き出た態様でスプーン５の柄部５２を固定する。
【００２３】
以上に示すように、他の例に係るアレルギー性鼻炎診断器具４は、一般的に使用されるスプーン５とペンライト６と固定具７とにより構成される。図１のアレルギー性鼻炎診断器具１と同様、既製品であるスプーン５及びペンライト６を用いて診断できるため、安価にアレルギー性鼻炎を診断することができる。なお、スプーン５、ペンライト６及び固定具７の果たす機能を、一の器具により実現しても良い。
【００２４】
［アレルギー性鼻炎診断方法］
図３は、本実施形態に係るアレルギー性鼻炎診断方法を示すフローチャートである。ここでは、診断者（特に、医療従事者）が、図１に示すアレルギー性鼻炎診断器具１を用いてアレルギー性鼻炎を診断する各工程について説明する。
【００２５】
まずステップＳ１において、診断者（特に、医療従事者）は、スプーン２を逆向きに把持する（Ｓ１）。ステップＳ１において具体的には、図４に示すように、柄部２２の付け根部２２ａを、通常のスプーン２の把持態様とは逆向きの把持態様で、親指と人差し指とにより把持する。
【００２６】
図４は、図３のステップＳ１を補足説明するための図である。図４に示すように、スプーン２の付け根部２２ａは、親指と人差し指とによって、通常のスプーンの把持態様とは逆向きの把持態様で把持される。
【００２７】
図３に戻ってステップＳ２に進み、診断者は、ステップＳ１で把持したスプーン２の柄部２２の先端を、被診断者の鼻内に挿し込む（Ｓ２）。
【００２８】
続いてステップＳ３に進み、診断者は、被診断者の鼻内に挿し込まれたスプーン２を用いて、鼻翼を斜め上方向に持ち上げる（Ｓ３）。ステップＳ３において具体的には、図５に示すように、柄部２２の付け根部２２ａから先端に向かって中指、薬指及び小指を添えた上で、柄部２２の先端面を鼻内面に押し当て、そのまま鼻翼を斜め上方向に持ち上げる。なお、鼻翼とは、鼻のあたまの左右両端にふくれている部分であり、小鼻ともいう。
【００２９】
図５は、図３のステップＳ３を補足説明するための図である。ステップＳ３では、図５に示すように、鼻翼が斜め上方向に持ち上げられた状態になる。なお、この際、上唇が併せて持ち上がる程度に鼻翼を持ち上げることが好ましい。
【００３０】
図３に戻ってステップＳ４に進み、診断者は、ペンライト３を使用してアレルギー性鼻炎を診断する（Ｓ４）。
【００３１】
図６は、図３のステップＳ４を補足説明するための図である。
【００３２】
ステップＳ４において具体的には、図６に示すように、スプーン２を把持している手と他方の手でペンライト３を把持し、ペンライト３の発光部３１によって診断対象の鼻内を点灯させた上で、下方から鼻内を覗き込む。その後、診断者は、アレルギー性鼻炎であるか否かの診断を、後述する図７Ａ及び図７Ｂに示す各特徴に基づいて行う。
【００３３】
［アレルギー性鼻炎の有無について］
図７Ａは、正常な鼻内状態を示す写真図である。図７Ｂは、アレルギー性鼻炎の場合の鼻内状態を示す写真図である。なお、図７Ａ及び図７Ｂでは、いずれも右鼻内の写真を示している。
【００３４】
図７Ａに示すように、正常な鼻内状態は以下の三つの特徴を有する。すなわち、第一の特徴は、鼻粘膜（下鼻甲介）の色が赤色であることであり、第二の特徴は、鼻粘膜と鼻中隔との間に隙間があることであり、第三の特徴は、異常な鼻汁が視覚的に把握できないことである。
【００３５】
一方、図７Ｂに示すように、アレルギー性鼻炎の鼻内状態は以下の三つの特徴を有する。すなわち、第一の特徴は、鼻粘膜（下鼻甲介）の色が青白色であることであり（図中の細い矢印部分）、第二の特徴は、鼻粘膜が腫脹して鼻粘膜と鼻中隔との間に隙間がない鼻閉状態であり（図中の太い矢印部分）、第三の特徴は、水っぽい鼻水が視覚的に把握できることである（図中の記号＊の部分）。
【００３６】
すなわち、図３のステップＳ４において診断者は、図７Ｂに示すアレルギー性鼻炎のすべての特徴を見出した場合に、アレルギー性鼻炎であると診断することができる。
【００３７】
以上説明してきたように、本実施形態に係るアレルギー性鼻炎診断方法によれば、既製品であるスプーン２及びペンライト３を用いた診断によって、安価に且つ迅速にアレルギー性鼻炎を診断することができる。なお、図２に示すアレルギー性鼻炎診断器具４を用いた診断方法も同様であり、当該アレルギー性鼻炎診断器具４によれば、既製品であるスプーン５及びペンライト６を用いた診断によって、安価に且つ迅速にアレルギー性鼻炎を診断することができる。
【００３８】
以上、本発明の一実施形態について説明したが、上記実施形態は本発明の適用例の一つを示したものであり、本発明の技術的範囲を上記実施形態の具体的構成に限定する趣旨ではない。
【００３９】
例えば上記説明においては、診断対象の症状がアレルギー性鼻炎の場合を例示して説明を行ってきたが、この場合に限定されるものではない。診断対象の症状は、例えばウイルス性上気道炎、すなわち風邪であっても良い。
【符号の説明】
【００４０】
１、４  アレルギー性鼻炎診断器具
２、５  スプーン
３、６  ペンライト
７        固定具
２２、４２      柄部
【図１】
2018196728.tif 000003
【図２】
2018196728.tif 000004
【図３】
2018196728.tif 000005
【図４】
2018196728.tif 000006
【図５】
2018196728.tif 000007
【図６】
2018196728.tif 000008
【図７Ａ】
2018196728.tif 000009
【図７Ｂ】
2018196728.tif 000010